(57)【要約】    【課題】  スイッチ機能の異なる複数の操作スイッチを備え、操作スイッチ各々のスイッチ動作下に負荷制御するコントロ−ラを備えたスイッチ装置において、コントロ−ラの新たな設定や配線変更を要することなく、操作スイッチの配設位置を簡単に変えることができるスイッチ装置を提案すること。    【解決手段】  操作パネル１１の取付孔１２ａ〜１２ｇに複数の操作スイッチ１３、１４、１５の各々には、スイッチ信号の他にスイッチ機能を示す識別信号を出力する第１コネクタを設け、コントロ−ラ２２に接続したスイッチ接続ユニット２０ａ〜２０ｇの各々には、前記第１コネクタを接続する第２コネクタを設けて操作スイッチ１３、１４、１５をコントロ−ラ２２にコネクタ接続し、コントロ−ラ２２が操作パネル１１に取付けられた操作スイッチを識別信号より判別した後、その操作スイッチのスイッチ信号に応じて負荷制御する構成となっている。【選択図】  図１
2006179375.tif 000002
【特許請求の範囲】
【請求項１】
スイッチ機能の異なる複数の操作スイッチと、
前記複数の操作スイッチのスイッチ信号に応じて各操作スイッチに対応する各々の負荷を制御するコントロ−ルユニットとを備えたスイッチ装置において、
前記した複数の操作スイッチの各々には、スイッチ操作にしたがってスイッチ信号を出力するスイッチ部と、スイッチ機能を示す識別信号を出力する識別信号発生部と、少なくとも前記スイッチ信号及び識別信号を出力させる第１コネクタとを設け、
前記コントロ−ルユニットには、前記第１コネクタを接続する第２コネクタと、前記識別信号に応じてスイッチ機能毎の操作スイッチを判別する判別部と、判別した操作スイッチのスイッチ信号にしたがい当該操作スイッチに対応する負荷を制御する制御部とを備えたことを特徴とするスイッチ装置。
【請求項２】
請求項１に記載したスイッチ装置において、
前記した第１、第２コネクタは、カ−ドエッジコネクタとして構成したことを特徴とするスイッチ装置。
【請求項３】
請求項１又は２に記載したスイッチ装置において、
前記した識別信号発生部は、スイッチ機能に応じて定めた抵抗値の抵抗素子と、前記第１、第２コネクタの接続下に前記抵抗素子を給電する給電回路とを備え、抵抗素子に発生する電圧信号を識別信号として出力する構成としたことを特徴とするスイッチ装置。
【請求項４】
請求項１〜３のいずれかに記載したスイッチ装置において、
前記コントロ−ルユニットは、制御信号を多重通信に変換して負荷に送信する多重通信ユニットに接続されていることを特徴とするスイッチ装置。
【請求項５】
スイッチ機能の異なる複数の操作スイッチと、
これら操作スイッチを取付け可能に取付ける複数の取付口を備えた操作パネルと、
前記複数の操作スイッチのスイッチ信号に応じて各操作スイッチに対応する各々の負荷を制御するコントロ−ルユニットとを備えたスイッチ装置において、
前記した複数の操作スイッチの各々には、スイッチ操作にしたがってスイッチ信号を出力するスイッチ部と、スイッチ機能を示す識別信号を出力する識別信号発生部と、少なくとも前記スイッチ信号及び識別信号を出力させる第１コネクタとを設け、
前記コントロ−ルユニットには、前記第１コネクタを接続する第２コネクタと、前記識別信号に応じてスイッチ機能毎の操作スイッチを判別する判別部と、判別した操作スイッチのスイッチ信号にしたがい当該操作スイッチに対応する負荷を制御する制御部とを設け、
前記表示パネルには取付口各々の近くに各々の表示部を設け、操作スイッチが取付けられた取付口に対応する表示部にコントロ−ルユニットの機能判別結果を表示させる構成としたことを特徴とするスイッチ装置。
【請求項６】
請求項５に記載したスイッチ装置において、
前記表示部が各操作スイッチのスイッチ機能を示すシンボルマ−クを表示する構成としたことを特徴とするスイッチ装置。
【請求項７】
請求項５又は６に記載したスイッチ操作において、
前記スイッチ装置を車輌用インストルメントパネルに備えたことを特徴とするスイッチ装置。
【発明の詳細な説明】
【技術分野】
【０００１】
本発明は、スイッチ機能の異なる複数の操作スイッチを有するスイッチ装置に関し、例えば、車輌用インストルメントパネルに備えるスイッチ装置に係る。
【背景技術】
【０００２】
スイッチ機能の異なる複数の操作スイッチを備えるスイッチ装置は広く使用されているが、その一例として、自動車の電気系負荷を駆動制御するスイッチ装置について説明する。
【０００３】
広く知られている通り、自動車のインストルメントパネルには、運転者が操作し易い配設位置として多くの操作スイッチが設けられている。
ところが、このような操作スイッチは、自動車のグレ−ドや車種等の違いによって異なる位置に取付けられることがある。
【０００４】
このため、自動車のグレ−ドや車種に応じて配線（ワイヤハ−ネス）を変える必要が生じ、さらには、スイッチ操作にしたがって電気系負荷を制御するコントロ−ルユニットについても新たなプログラムに設定する必要が生ずるなどの問題があった。
また、自動車のグレ−ドや車種等に関係なく、取付可能な操作スイッチに関するすべての取付孔と配線を設定している場合もあり、この場合には、自動車のグレ−ドや車種等に合わせて必要な操作スイッチだけを配置し、操作スイッチを配置しない取付孔は蓋によって覆うようにしている。
そのため、操作スイッチの配置数が少ない車種では、インストメントパネル上に蓋で覆われる部分が多くなり、見栄えが悪くなると共に、操作性も低下し、さらには不要な配線が肥大化して車両の重量が増加するという問題があった。
【０００５】
そこで、現今では、操作スイッチの配設位置を変えた場合でも、その操作スイッチのスイッチ機能（負荷制御の指示機能）を自動的に判別するコントロ−ルユニットを備え、当該操作スイッチのスイッチ信号にしたがって負荷制御する構成のスイッチ装置が提案されている。
【０００６】
この種のスイッチ装置の一例のものは、後退勢力を与えた複数の操作ノブをハウジングに進退自在に取付け、また、各操作ノブの進出方向位置に検出スイッチを設け、さらには、各操作ノブの先端部に位置を変えた駆動突部を、検出スイッチには上記の駆動突部に対向させて連立させた複数の駆動ピンを各々設けたスイッチ装置となっている。
【０００７】
このスイッチ装置は、操作ノブの進出操作によって各々の操作ノブの駆動突部が異なる駆動ピンを押動することから、検出スイッチ各々によって異なるスイッチ信号（二値信号）が出力する。
【０００８】
したがって、そのスイッチ信号を入力するコントロ−ルユニットがスイッチ信号の出力に係る操作ノブを判別し、当該操作ノブに対応する電気系負荷を制御する。
【０００９】
上記スイッチ装置の他の例のものとしては、複数の操作スイッチの各々に論理構成を変えたスイッチ回路を設けたスイッチ装置となっており、スイッチＯＮによって各々の操作スイッチが異なる二値信号としてスイッチ信号を出力する。
【００１０】
したがって、スイッチ信号を入力したコントロ−ルユニットがそのスイッチ信号に相応する操作スイッチを判別し、当該操作スイッチに対応する電気系負荷を制御する。
【００１１】
上記したように、操作スイッチのスイッチ機能を判別するコントロ−ルユニットを有するスイッチ装置は、操作スイッチの配設位置を変えても、コントロ−ルユニットの設定変更や配線変えの必要がない。
したがって、自動車のグレ−ドや車種などに関係なく同じ構成のスイッチ装置を車載することができる。
【００１２】
しかしながら、上記したスイッチ装置は、コントロ−ルユニットが二値信号であるスイッチ信号を入力してスイッチ機能を判別するため、二値信号以外のスイッチ信号を出力する操作スイッチのスイッチ機能については判別することができない。
【００１３】
したがって、スイッチ信号がアナログ信号となるロ−タリ−スイッチのスイッチ機能については判別することができないから、ロ−タリ−スイッチを操作スイッチとして備えることができない。
【００１４】
また、上記した従来のスイッチ装置は、プッシュスイッチ構成であるため、プッシュスイッチの他に、シ−ソ−スイッチやロ−タリ−スイッチなどを操作スイッチとして備えることができなく、操作スイッチの種類が限られる。
【００１５】
【特許文献１】特開平７−２６２８６７号公報
【特許文献２】特開平１０−３３４７６５号公報
【発明の開示】
【発明が解決しようとする課題】
【００１６】
本発明は、上記した実情にかんがみ、スイッチ機能の異なる操作スイッチが、プッシュスイッチ、シ−ソ−スイッチ、ロ−タリ−スイッチなどのタイプの違うスイッチであるか否かにかかわらず、操作スイッチのスイッチ機能を判別し、各操作スイッチに対応する負荷を制御することができるスイッチ装置を提供することを目的とする。
【課題を解決するための手段】
【００１７】
上記した目的を達成するため、本発明では、第１の発明として、スイッチ機能の異なる複数の操作スイッチと、前記複数の操作スイッチのスイッチ信号に応じて各操作スイッチに対応する各々の負荷を制御するコントロ−ルユニットとを備えたスイッチ装置において、前記した複数の操作スイッチの各々には、スイッチ操作にしたがってスイッチ信号を出力するスイッチ部と、スイッチ機能を示す識別信号を出力する識別信号発生部と、少なくとも前記スイッチ信号及び識別信号を出力させる第１コネクタとを設け、前記コントロ−ルユニットには、前記第１コネクタを接続する第２コネクタと、前記識別信号に応じてスイッチ機能毎の操作スイッチを判別する判別部と、判別した操作スイッチのスイッチ信号にしたがい当該操作スイッチに対応する負荷を制御する制御部とを備えたことを特徴とするスイッチ装置を提案する。
【００１８】
第２の発明としては、上記した第１の発明のスイッチ装置において、前記した第１、第２コネクタは、カ−ドエッジコネクタとして構成したことを特徴とするスイッチ装置を提案する。
【００１９】
第３の発明としては、上記した第１又は第２の発明のスイッチ装置において、前記した識別信号発生部は、スイッチ機能に応じて定めた抵抗値の抵抗素子と、前記第１、第２コネクタの接続下に前記抵抗素子を給電する給電回路とを備え、抵抗素子に発生する電圧信号を識別信号として出力する構成としたことを特徴とするスイッチ装置を提案する。
【００２０】
第４の発明としては、上記した第１〜第３の発明のいずれかのスイッチ装置において、前記コントロ−ルユニットは、制御信号を多重通信に変換して負荷に送信する多重通信ユニットに接続されていることを特徴とするスイッチ装置を提案する。
【００２１】
第５の発明としては、スイッチ機能の異なる複数の操作スイッチと、これら操作スイッチを取付け可能に取付ける複数の取付口を備えた操作パネルと、前記複数の操作スイッチのスイッチ信号に応じて各操作スイッチに対応する各々の負荷を制御するコントロ−ルユニットとを備えたスイッチ装置において、前記した複数の操作スイッチの各々には、スイッチ操作にしたがってスイッチ信号を出力するスイッチ部と、スイッチ機能を示す識別信号を出力する識別信号発生部と、少なくとも前記スイッチ信号及び識別信号を出力させる第１コネクタとを設け、前記コントロ−ルユニットには、前記第１コネクタを接続する第２コネクタと、前記識別信号に応じてスイッチ機能毎の操作スイッチを判別する判別部と、判別した操作スイッチのスイッチ信号にしたがい当該操作スイッチに対応する負荷を制御する制御部とを設け、前記表示パネルには、取付口各々の近くに各々の表示部を設け、操作スイッチが取付けられた取付口に対応する表示部にコントロ−ルユニットの機能判別結果を表示させる構成としたことを特徴とするスイッチ装置を提案する。
【００２２】
第６の発明としては、上記した第５の発明のスイッチ装置において、前記表示部が各操作スイッチのスイッチ機能を示すシンボルマ−クを表示する構成としたことを特徴とするスイッチ装置を提案する。
【００２３】
第７の発明としては、上記した第５又は第６の発明のスイッチ装置において、前記スイッチ装置を車輌用インストルメントパネルに備えたことを特徴とするスイッチ装置を提案する。
【発明の効果】
【００２４】
第１の発明のスイッチ装置は、操作スイッチの第１コネクタをコントロ−ルユニットの第２コネクタに接続することによって、操作スイッチの識別信号発生部が出力する識別信号がコントロ−ルユニットに送られる。
【００２５】
これによって、コントロ−ルユニットの判別部が識別信号にしたがいコネクタ接続された操作スイッチのスイッチ機能を判別し、その操作スイッチに対応する負荷の制御モ−ドとなる。
【００２６】
コントロ−ルユニットの上記したスイッチ機能判別は、コネクタ接続された複数の操作スイッチについても同様に行なわれ、スイッチ機能の異なる操作スイッチ各々に対応する各負荷の制御モ−ドとなる。
【００２７】
したがって、コネクタ接続した操作スイッチを操作しスイッチ信号を出力させれば、コントロ−ルユニットがその操作スイッチに対応する制御モ−ドで動作し負荷制御する。
【００２８】
このことから、操作スイッチの配設位置を変え、また、スイッチタイプ（プッシュスイッチ、シ−ソ−スイッチ、ロ−タリ−スイッチなど）の違う操作スイッチに変え、或いは、操作スイッチの配設数を変えた場合であっても、コントロ−ルユニットが各々の操作スイッチのスイッチ機能を判別し、それら操作スイッチに対応する動作モ−ドとなることから、コントロ−ルユニットは新たにプログラム設定する必要がなく、各々のスイッチ装置に共通するコントロ−ルユニットとすることができると共に、配線の変更も必要としないスイッチ装置となる。
【００２９】
この結果、スイッチタイプの違う操作スイッチやスイッチ機能の異なる操作スイッチを任意の配設位置に設けることができる。
すなわち、インストメントパネルに操作スイッチの種類に応じた数の取付孔を設ける必要はなく、必要最小限の取付孔を形成すればよいので、不必要な取付孔を可能な限り少なくして、インストメントパネルに無駄なく、効率的に操作スイッチを配置することができる。
【００３０】
第２の発明のスイッチ装置は、操作スイッチの第１コネクタとコントロ−ルユニットの第２コネクタとをカ−ドエッジコネクタとしたことから、複数の操作スイッチのコネクタ接続を共通したコネクタ構成とすることができる。
【００３１】
このことから、コントロ−ルユニットの第２コネクタには、全ての操作スイッチの第１コネクタを接続することも、スイッチ機能の異なる一方の操作スイッチと他方の操作スイッチとを交換して配設することもできる。
【００３２】
第３の発明のスイッチ装置は、操作スイッチをコントロ−ルユニットに接続することにより給電される抵抗素子によって識別信号発生部を構成したことが特徴となっている。
【００３３】
すなわち、操作スイッチ各々のスイッチ機能に応じて定めた抵抗値の抵抗素子となっており、第１、第２コネクタを接続して抵抗素子を給電することにより、操作スイッチの各々で電圧レベルの異なる識別信号を出力する。
コントロ−ルユニットはその識別信号からスイッチ機能を判別する。
【００３４】
このように構成した識別信号発生部は、同じスイッチタイプの操作スイッチであっても、抵抗素子の抵抗値を変えることによって識別信号を変えることができるので、異なる負荷制御の操作スイッチとして使用することができる。
また、このように識別信号を変えてもコネクタの接続端子数は増加しない。
【００３５】
第４の発明のスイッチ装置は、コントロ−ルユニットと各々の負荷との間を多重通信回路で接続して配線の簡略化を計ったことが特徴となっている。
【００３６】
第５の発明のスイッチ装置は、表示パネルの複数の取付口に各々の操作スイッチを取付け自在に取付ける構成とすると共に、その取付口各々の近くには、操作スイッチのスイッチ機能を表示する表示部を設けたことが特徴となっている。
【００３７】
この構成のスイッチ装置は、表示パネルの取付口を特定しないで任意の操作スイッチを取付けても、その操作スイッチのスイッチ機能を判別したコントロ−ルユニットが判別結果を表示部に表示させるので、取付けた操作スイッチが何の負荷制御のものであるのかが一見して確認することができる。
【００３８】
第６の発明のスイッチ装置は、表示部に各操作スイッチのスイッチ機能を示すシンボルマ−クを表示させる構成とし、操作パネルにシンボルマ−クの印刷やシ−ルの貼り付け等を必要としないスイッチ装置となっている。
【００３９】
第７の発明のスイッチ装置は、ハザ−ドスイッチ機能を有する操作スイッチ、ヘッドライトレベリングスイッチ機能を有する操作スイッチ、シ−トヒ−タスイッチ機能を有する操作スイッチなどの各操作スイッチを備えたスイッチ装置として構成し、このスイッチ装置を車輌用インストルメントパネルに備えたことが特徴となっている。
【発明を実施するための最良の形態】
【００４０】
次に、本発明を車輌の車載用スイッチ装置として実施した第１実施形態について図面に沿って説明する。
図１は、スイッチ装置の概略構成図であり、１１はインストルメントパネルに取付けボックス状の操作パネルで、これには各種の操作スイッチを取付ける複数（本実施形態では７個）の角形状の取付孔１２ａ〜１２ｇが横一列に設けてある。
【００４１】
そして、上記の取付孔１２ａ〜１２ｇには、ハザ−ドスイッチ、ヘッドライトレベリングスイッチ、シ−トヒ−タスイッチなどの各種の操作スイッチを取付自在として取付ける。
【００４２】
本実施形態では、ハザ−ドスイッチとしてプッシュスイッチからなる操作スイッチ１３、ヘッドライトレベリングスイッチとしてロ−タリ−スイッチからなる操作スイッチ１４、シ−トヒ−タスイッチとしてシ−ソ−スイッチからなる操作スイッチ１５を例示したが、これらのスイッチにかぎらず、その他の各種の操作スイッチについて取付けることができる。
なお、以下の説明では、説明の便宜上特に断り記載をしないかぎり、操作スイッチ１３、１４、１５について説明する。
【００４３】
上記した操作スイッチ１３、１４、１５の各々には、操作パネル１１の取付孔１２ａ〜１２ｇに挿入する角形本体１３ａ、１４ａ、１５ａ内に、スイッチ信号を発生するスイッチ部、操作ノブ１３ｂ、１４ｂ、１５ｂのシンボルマ−クを照明する光源の他に、スイッチ機能（負荷制御の指示機能）を示す識別信号を発生する識別信号発生部などが設けてある。
【００４４】
また、操作スイッチ１３、１４、１５の各々には、角形本体１３ａ、１４ａ、１５ａの先端部より一体的に突出させた第１コネクタ１６ａ、１７ａ、１８ａが設けてある。
この第１コネクタ１６ａ、１７ａ、１８ａは、多数の接続端子を回路基板に一体形成したものである。
【００４５】
図３には、操作スイッチ１３の第１コネクタ１６ａが示してあるが、他の操作スイッチ１４、１５の第１コネクタ１７ａ、１８ａについても同じ構成となっている。
これらの第１コネクタ１６ａ、１７ａ、１８ａは、スイッチ信号、識別信号を出力させると共に、シンボルマ−クの照明光源の給電電圧を入力する。
【００４６】
一方、操作パネル１１の取付孔１２ａ〜１２ｇの奥部には、スイッチ接続ユニット２０ａ〜２０ｇが備えてある。
このスイッチ接続ユニット２０ａ〜２０ｇは、同じ構成として操作パネル内に組み付けて固定してある。
【００４７】
また、スイッチ接続ユニット２０ａ〜２０ｇには、前面側を開口させてコネクタ差し入れ孔２１ａ〜２１ｇを設け、この差し入れ孔２１ａ〜２１ｇの側面に第２コネクタが設けてある。
すなわち、操作スイッチ１３、１４、１５を操作パネル１１の取付孔１２ａ、１２ｂ、１２ｃに挿入して取付けることによって、各操作スイッチ１３、１４、１５の第１コネクタ１６ａ、１７ａ、１８ａがスイッチ接続ユニットのコネクタ差し入れ孔２１ａ、２１ｂ、２１ｃに突入し、操作スイッチ１３、１４、１５の第１コネクタ１６ａ、１７ａ、１８ａがスイッチ接続ユニットの第２コネクタ１６ｂ、１７ｂ、１８ｂに電気接続する。
【００４８】
図２には、操作スイッチ１３とスイッチ接続ユニット２０ａが例示してあるが、図示する如く、スイッチ接続ユニット２０ａに設けたコネクタ差し入れ孔２１ａの一側面には第２コネクタ１６ｂが固着してある。
【００４９】
この第２コネクタ１６ｂは、第１コネクタ１６ａと同構成のもので、多数の接続端子を回路基板に一体形成したカ−ドエッジコネクタとなっている。
なお、その他のスイッチ接続ユニット２０ｂ〜２０ｇのコネクタ差し入れ孔２１ｂ〜２１ｇについても同様の第２コネクタが設けてある。
【００５０】
上記したスイッチ接続ユニット２０ａ〜２０ｇは、コントロ−ラ（ＣＰＵ）２２に接続してあり、操作パネル１１に取付けられた各操作スイッチのスイッチ信号と識別信号とをコントロ−ラ２２に送り、また、各操作スイッチに対して照明光源の給電電圧を入力させる。
すなわち、コントロ−ラ２２とスイッチ接続ユニット２０ａ〜２０ｇなどによつてコントロ−ルユニットを形成している。
【００５１】
このように構成したスイッチ装置は、操作スイッチ１３、１４、１５を操作パネル１１の任意の取付孔（例えば、１２ａ、１２ｂ、１２ｃ）に挿入すると、これら操作スイッチ１３、１４、１５がその取付孔奥部のスイッチ接続ユニット（この場合、２０ａ、２０ｂ、２０ｃ）にコネクタ接続される。
したがって、操作スイッチ１３、１４、１５の各々がスイッチ接続ユニットを介してコントロ−ラ２２に接続される。
【００５２】
このように、操作スイッチ１３、１４、１５を取付孔に取付け、スイッチ接続ユニットにコネクタ接続すると、後述するように、これら操作スイッチ１３、１４、１５の各々から識別信号が出力する。
【００５３】
これより、コントロ−ラ２２が識別信号にしたがって操作スイッチ１３、１４、１５のスイッチ機能、つまり、ハザ−ドスイッチ機能、ヘッドライトレベリングスイッチ機能、シ−トヒ−タスイッチ機能を判別し、ハザ−ド回路負荷、ヘッドレベル制御負荷、シ−トヒ−タ負荷の制御モ−ドとなる。
【００５４】
したがって、この制御モ−ドにおいて操作スイッチ１３、１４、１５の操作ノブ１３ｂ、１４ｂ、１５ｂを操作すれば、これらスイッチのスイッチ信号がコントロ−ラ２２に送られ、コントロ−ラ２２がスイッチ信号にしたがって各負荷を制御する。
【００５５】
このように、コントロ−ラ２２が操作スイッチ１３、１４、１５の識別信号にしたがってスイッチ機能を判別するので、操作スイッチ１３、１４、１５の取付孔１２ａ〜１２ｇに対する取付位置が任意となる。
例えば、操作スイッチ１３を取付孔１２ｆに、操作スイッチ１４を取付孔１２ｃに、操作スイッチ１５を取付孔１２ａに取付けてもよく、また、一旦取付けた操作スイッチを他の取付孔に換えて取付けたり、取付け位置を他の操作スイッチと交換することができる。
【００５６】
このため、操作スイッチ１３、１４、１５は、操作パネル１１の取付孔１２ａ〜１２ｇに対して取付自在に取付けできる構成としてある。
具体的には、操作スイッチ１３、１４、１５に設けた弾性的な係止部１３ｃ、１４ｃ、１５ｃを取付孔１２ａ〜１２ｇの上下面に設けた係止部（図示省略）に係脱自在に係止させ、操作スイッチ１３、１４、１５の抜け出しを防止する構成となっている。
【００５７】
図４は、上記したスイッチ装置の電気回路を示すブロック図である。
この図に示すスイッチ装置は、操作スイッチ１３、１４、１５の他にスイッチ機能の異なる他の操作スイッチ２４〜２７を操作パネル１１の取付孔に取付け、第１コネクタ２８ａ〜３１ａと第２コネクタ２８ｂ〜３１ｂとでコネクタ接続してこれら操作スイッチ２４〜２４をスイッチ接続ユニット２０ｄ〜２０ｇに接続してある。
【００５８】
このスイッチ装置は、各操作スイッチを取付けたとき、コントロ−ラ２２が、操作スイッチ１３〜１５、２４〜２７から異なるスイッチ機能を示す識別信号を入力し、その識別信号を判別し、各操作スイッチに対応する動作モ−ドとなる。
【００５９】
具体的には、スイッチ接続ユニット２０ａが接続されたポ−ト群Ｐ１の入出力状態が操作スイッチ１３に対応し、その操作スイッチ１３に対応する負荷の動作モ−ドとなり、スイッチ接続ユニット２０ｂが接続されたポ−ト群Ｐ２が操作スイッチ１４に対応し、その操作スイッチ１４に対応する負荷の動作モ−ドとなり、スイッチ接続ユニット２ｃが接続されたポ−ト群Ｐ３が操作スイッチ１５に対応し、その操作スイッチ１５に対応する負荷の動作モ−ドとなり、以下同様に、ポ−ト群Ｐ４〜Ｐ７が操作スイッチ２４〜２４に対応する負荷の動作モ−ドとなる。
【００６０】
したがって、この動作モ−ドにおいて、いずれかの操作スイッチの操作ノブが操作され、そのスイッチ信号がコントロ−ラ２２に入力すれば、コントロ−ラ２２がその操作スイッチに対応する負荷３２の制御を実行する。
なお、コントロ−ラ２２が出力する負荷制御信号は、多重通信回路３３により多重信号化し、負荷回路に送るようにすることによって配線を簡素化することができる。
【００６１】
図５は、操作スイッチ１３とスイッチ接続ユニット２０ａの具体的な回路構成と、コントロ−ラ２２のポ−ト群Ｐ１の設定と入出力信号レベル設定とを示す回路図である。
図示する如く、操作スイッチ１３には操作ノブ１３ｂをプッシュ操作することによってＯＮするスイッチ部３４、スイッチ部３４がＯＮしたときに点灯してシンボルマ−クを照明する光源（ＬＥＤ）３５と、識別信号発生部を構成する抵抗素子３６とが設けてある。
【００６２】
抵抗素子３６は、ハザ−ドスイッチである操作スイッチ１３のスイッチ機能に合せてその抵抗値が定めてある。
そして、この抵抗素子３６は、第１、第２コネクタ１６ａ、１６ｂが接続されることで、それらの接続端子「９」、「１０」（丸付き数字）を介してスイッチ接続ユニット２０ａの抵抗素子３７と、コントロ−ラ２２のポ−トＰ０７とに接続される。
【００６３】
したがって、抵抗素子３６、３７が分割電圧回路を形成し、その分割電圧が識別信号としてポ−トＰ０７に入力する。
この結果、コントロ−ラ２２が識別信号を判別してハザ−ドランプの制御モ−ドとなり、ポ−ト設定と入出力信号レベル設定を図示する如く行なう。
【００６４】
この動作モ−ドにおいて、スイッチ部３４をＯＮさせると、スイッチ接続ユニット２０ａのトランジスタ３８がＯＦＦすることから、トランジスタ３９がＯＮとなり、Ｈｉｇｈのスイッチ信号がポ−トＰ０１に入力する。
コントロ−ラ２２はこのスイッチ信号を入力してハザ−ドランプである光源３５の点灯制御を実行する。
【００６５】
この場合、ポ−トＰ０２がポ−トＰ０１にＨｉｇｈのスイッチ信号が入力することにしたがってＬｏｗ信号を出力するため、トランジスタ４０がＯＮし、光源３５が点灯し、ポ−トＰ０３には光源３５の順方向電圧が入力する。
【００６６】
また、この場合、ポ−トＰ０４がＨｉｇｈ信号を出力し、トランジスタ４１がＯＦＦ、また、ポ−トＰ０５には何も接続されていないから開放、ポ−トＰ０６は何も接続されていないからＬｏｗレベルとなっており、トランジスタ４２がＯＦＦとなっている。
【００６７】
図６は、操作スイッチ１４とスイッチ接続ユニット２０ｂの具体的な回路構成と、コントロ−ラ２２のポ−ト群Ｐ２の設定と入出力レベル設定とを示す回路図である。
なお、スイッチ接続ユニット２０ｂは図５に示したスイッチ接続ユニット２０ａと同じ回路構成である。
そして、操作スイッチ１４には、光源（ＬＥＤ）３５、ロ−タの回転にしたがって可変する可変抵抗４３、識別信号を発生する抵抗素子４４が備えてある。
【００６８】
抵抗素子４４は、ヘッドライトの照射高さを調節する操作スイッチ１４のスイッチ機能に合せてその抵抗値が定めてある。
この抵抗素子４４は、上記同様にしてスイッチ接続ユニット２０ｂの抵抗素子３７とで電圧分割回路を形成し、その分割電圧を識別信号としてコントロ−ラ２２のポ−トＰ０７に入力する。
【００６９】
したがって、コントロ−ラ２２が識別信号の判別によってヘッドライトの照射高さの調整モ−ドとなり、ポ−ト設定と入出力信号レベル設定を図示する如く行なう。
この結果、ポ−トＰ００がＬｏｗ出力となるため、トランジスタ３８がＯＮ、トランジスタ３９がＯＦＦとなり、ポ−トＰ０１にＬｏｗ信号が入力する。
【００７０】
また、この場合、ポ−トＰ０２がＬｏｗ信号を出力し、トランジスタ４０がＯＮして光源３５が点灯し、ポ−トＰ０３には光源３５の順方向電圧が入力する。
さらに、ポ−トＰ０４がＨｉｇｈ信号を出力するため、トランジスタ４１がＯＦＦする。
【００７１】
したがって、ロ−タ回転位置に相当する可変抵抗４３の出力電圧がポ−トＰ０５に入力し、コントロ−ラ２２がこの出力電圧にしたがってヘッドライトの照射高さ調節機構を制御する。
なお、このときのポ−トＰ０６は何も接続されないためＬｏｗレベルとなっている。
【００７２】
図７は、操作スイッチ１５とスイッチ接続ユニット２０ｃの具体的な回路構成と、コントロ−ラ２２のポ−ト群Ｐ３の設定と入出力信号レベルとを示す回路図である。
なお、スイッチ接続ユニット２０ｃは上記したスイッチ接続ユニット２０ａ、２０ｂと同構成である。
【００７３】
この操作スイッチ１５には、操作ノブ１５ｂの一方側を押し操作してＯＮ、その他方側を押し操作してＯＦＦするスイッチ部４５、スイッチＯＮ時を光源（ＬＥＤ）３５ａとスイッチオフ時を示す光源（ＬＥＤ）３５ｂと、識別信号を発生する抵抗素子４６とが備えてある。
【００７４】
抵抗素子４６は、シ−トヒ−タスイッチである操作スイッチ１５のスイッチ機能に合せてその抵抗値が定めてあり、上記同様にこの抵抗素子４６の分割電圧が識別信号としてポ−トＰ０７に入力し、コントロ−ラ２２がシ−トヒ−タを発熱させる制御モ−ドとなり、図示する如く、ポ−ト設定と入出力信号設定を行なう。
【００７５】
この結果、トランジスタ３８がＯＮとなっているから、スイッチ部４５がＯＮでトランジスタ３９がＯＮし、Ｈｉｇｈのスイッチ信号がポ−トＰ０１に入力し、スイッチ部４５のＯＦＦではＬｏｗのスイッチ信号がポ−トＰ０１に入力する。
したがって、コントロ−ラ２２がポ−トＰ０１に入力するスイッチ信号にしたがってシ−トヒ−タの発熱制御を実行する。
その他は、図５、図６に示すスイッチ動作と同様となっている。
【００７６】
なお、図７は１回路のシ−ソ−スイッチである操作スイッチ１５の回路例を示したが、スイッチ４５のグランド側を接続端子「２」に接続し、接続端子「７」と「８」との間にスイッチ４５と同様のスイッチを設ければ、中立位置でＯＦＦとなる２回路のシ−ソ−スイッチとして実施することができる。
【００７７】
以上、操作スイッチ１３、１４、１５に関する具体例について説明したが、その他の操作スイッチ２４〜２７についても同様であって、コントロ−ラ２２が異なるスイッチ機能を示す識別信号を判別し、操作スイッチ各々に対応する負荷を制御する。
【００７８】
また、プッシュスイッチで操作スイッチ１３とシ−ソ−スイッチである操作スイッチ１５は、操作者が操作ノブ１３ｂ、１５ｂから手を離すことにより、操作ノブ１３ｂ、１５ｂが元の位置へ自動復帰するように構成されたモ−メンタリ−型と、自動復帰せず操作者の操作に応じて交互に切換わるオルタネイト型のどちらであっても同様に実施し得る。
【００７９】
さらに、接続端子「１」と「２」、「３」と「４」、「５」と「６」、「７」と「８」の各々にスイッチを接続した８方向スイッチ（例えば、ミラ−コントロ−ルスイッチ）を操作スイッチとして備えることもできる。
【００８０】
図８は、第２実施形態を示す図７同様の回路図である。
この実施形態は、操作スイッチ１５の識別信号発生部としてスイッチ群４７を備えると共に、スイッチ接続ユニット２０ｃにプルアップ抵抗４８ａ〜４８ｄを設けたことが特徴となっており、その他は図７に示す回路構成と変りがない。
【００８１】
スイッチ群４７は、プ−ルアップ抵抗４８ａ〜４８ｄの各々と接続されるスイッチ４７ａ、４７ｂ、４７ｃ、４７ｄから形成してあり、閉成したスイッチから″０″信号、開放したスイッチから″１″信号を出力させる。
つまり、図示するスイッチ群４７のスイッチ開閉状態では、「０１００」の二値信号が識別信号としてコントロ−ラ２２に入力され、コントロ−ラ２２が上記同様に操作スイッチ１５のスイッチ機能にしたがって負荷制御する。
【００８２】
なお、この実施形態では、第１コネクタ１８ａと第２コネクタ１８ｂの端子数が増加するが実用的に問題がなく、他の操作スイッチについても同様に実施することができる。
【００８３】
図９は第３実施形態として示した図１同様のスイッチ装置の概略構成図である。
上記スイッチ装置は、操作スイッチ１３、１４、１５を取付孔１２ａ〜１２ｇの任意の取付孔に取付けることができるから、本実施形態のスイッチ装置では、取付けられた操作スイッチのスイッチ機能を表示させるための表示器２３ａ〜２３ｇを取付孔１２ａ〜１２ｇに対応させた操作パネル部所に設けてある。
【００８４】
この表示器２３ａ〜２３ｇは、操作スイッチ１３、１４、１５のスイッチ機能を示すシンボルマ−クやスイッチ名などを液晶表示させる構成としてある。
つまり、図１０に示すように、コントロ−ラ２２が操作スイッチ１３、１４、１５のスイッチ機能を識別信号によって判別したとき、その判別結果に基づいて、操作スイッチ１３、１４、１５が取付けられた取付孔に対応する表示器にそれら操作スイッチのシンボルマ−クやスイッチ名を液晶表示させるようになっている。
【産業上の利用可能性】
【００８５】
自動車に車載するスイッチ装置の他に、フォ−クリフト、クレ−ン、ブルド−ザ等の建設機械、トラクタ、コンバイン等の農業機械に備えるスイッチ装置など、スイッチ機能の異なる複数の操作スイッチを有するスイッチ装置として適用することができる。
【図面の簡単な説明】
【００８６】
【図１】本発明の一実施形態として示したスイッチ装置の概略機構の斜視図である。
【図２】上記スイッチ装置に備えた操作スイッチとスイッチ接続ユニットとの一部を示した斜視図である。
【図３】上記スイッチ装置に備えた操作スイッチの側面図である。
【図４】上記スイッチ装置の電気回路を示したブロック図である。
【図５】上記スイッチ装置に備えたプッシュスイッチである操作スイッチとスイッチ接続ユニットの具体的な回路と、コントロ−ラとを示した回路図である。
【図６】上記スイッチ装置に備えたロ−タリ−スイッチである操作スイッチとスイッチ接続ユニットの具体的な回路と、コントロ−ラとを示した回路図である。
【図７】上記スイッチ操作に備えたシ−ソ−スイッチである操作スイッチとスイッチ接続ユニットの具体的な回路と、コントロ−ラとを示す回路図である。
【図８】本発明の第２実施形態を示した図７同様の回路図である。
【図９】本発明の第３実施形態を示したスイッチ装置の概略機構の斜視図である。
【図１０】上記第３実施形態の電気回路を示すブロック図である。
【符号の説明】
【００８７】
１１  操作パネル
１２ａ〜１２ｇ  取付孔
１３、１４、１５  操作スイッチ
１６ａ、１７ａ、１８ａ  第１コネクタ
１６ｂ、１７ｂ、１８ｂ  第２コネクタ
２０ａ〜２０ｇ  スイッチ接続ユニット
２１ａ〜２１ｇ  コネクタ差し入れ孔
２２  コントロ−ラ
２３ａ〜２３ｇ  表示器
２４〜２７  操作スイッチ
２８ａ〜３１ａ  第１コネクタ
２８ｂ〜３１ｂ  第２コネクタ
３６、４４、４６  識別信号発生用の抵抗素子
３７  分割電圧用の抵抗素子
【図１】
2006179375.tif 000003
【図２】
2006179375.tif 000004
【図３】
2006179375.tif 000005
【図４】
2006179375.tif 000006
【図５】
2006179375.tif 000007
【図６】
2006179375.tif 000008
【図７】
2006179375.tif 000009
【図８】
2006179375.tif 000010
【図９】
2006179375.tif 000011
【図１０】
2006179375.tif 000012